(57)【要約】【課題】複数個の器具本体を連結する際の施工性を向上させることができる照明装置を提供することである。【解決手段】照明器具の器具本体１１にランプ１５を装着した状態では自己のランプ１５の端部と隣り合う器具本体１１のランプの端部とが互い違いにラップする位置になるようにソケット部１４を配置し、ソケット回動機構部１９は、器具本体１１にランプ１５が未装着の状態ではソケット部１４を器具本体１１の内側の位置に回動可能で、器具本体１１にランプ１５を装着する際には器具本体１１から突出するようにソケット部１４を回動させる。【選択図】図１
2010114048.tif 000002
【特許請求の範囲】
【請求項１】
照明器具の器具本体と；
前記器具本体にランプを装着した状態では自己のランプの端部と隣り合う器具本体のランプの端部とが互い違いにラップする位置になるように配置されたソケット部と；
前記器具本体にランプが未装着の状態では前記ソケット部を前記器具本体の内側の位置に回動可能で、前記器具本体にランプを装着する際には前記器具本体から突出するように前記ソケット部を回動させるソケット回動機構部と；
を備えたことを特徴とする照明装置。
【発明の詳細な説明】
【技術分野】
【０００１】
本発明は、複数個の器具本体を連結して構成される照明装置に関する。
【背景技術】
【０００２】
複数個の器具本体を連結して構成される照明装置としては、例えば、側壁の天井に埋め込んで壁面を照射するようにした照明装置がある。このような照明装置の連結部においては、各々の器具本体に装着されたランプの端部をラップするように配置し、器具本体の連結部において暗部が生じるのを防止するようにしている。
【０００３】
ここで、側壁の天井に埋め込んで壁面を照射するものとしては、天井の壁に隣接して設けられた開口に器具本体を取り付け、器具本体は開口の縁よりも非壁側に奥まって位置して壁に対向する側板を備え、ランプが装着された灯体部に支持腕を固着し、支持腕にて灯体部を壁に対向させるように側板に取り付け、ランプの間接光により開口から下面側を照明するようにしたものがある（例えば、特許文献１参照）。
【特許文献１】特開平７−３２０５２７号公報
【発明の開示】
【発明が解決しようとする課題】
【０００４】
しかし、複数個の器具本体を連結して照明器具を構成する場合には、器具本体の連結部において暗部が生じるのを防止するために、ランプ端部をラップさせる構造としているため、器具本体の単体で見るとソケット部が器具本体の端部より突出している。このため複数個の器具本体の施工時には、器具本体から突出したソケット部が邪魔になり施工性が悪化している。
【０００５】
本発明の目的は、複数個の器具本体を連結する際の施工性を向上させることができる照明装置を提供することである。
【課題を解決するための手段】
【０００６】
請求項１の発明に係わる照明装置は、照明器具の器具本体と；前記器具本体にランプを装着した状態では自己のランプの端部と隣り合う器具本体のランプの端部とが互い違いにラップする位置になるように配置されたソケット部と；前記器具本体にランプが未装着の状態では前記ソケット部を前記器具本体の内側の位置に回動可能で、前記器具本体にランプを装着する際には前記器具本体から突出するように前記ソケット部を回動させるソケット回動機構部と；を備えたことを特徴とする。
【０００７】
本発明において、用語の定義及び技術的意味は以下による。
【０００８】
「器具本体にランプを装着した状態」とは、器具本体のソケット部にランプを取り付けた状態をいう。「自己のランプの端部と隣り合う器具本体のランプの端部とが互い違いにラップする」とは、自己のランプ端部の口金部分に隣のランプの発光部分が位置するように配置された関係をいう。
【０００９】
「器具本体の内側の位置に回動可能」とは、ソケット部を器具本体の内側に折り畳み可能としたことをいい、「器具本体から突出するように回動させる」とは、折り畳んでいたソケット部を開きランプが装着できる状態にすることをいう。
【発明の効果】
【００１０】
本発明によれば、ソケット部をソケット回動機構部により回動可能とし、器具本体にランプが未装着の状態ではソケット部を器具本体の内側の位置に折り畳む状態にできるので、器具本体の施工時に隣り合う器具本体のソケット部が邪魔になることを防止できる。従って、器具本体の施工性が向上する。
【発明を実施するための最良の形態】
【００１１】
以下、本発明の実施の形態に係わる照明装置を説明する。本発明の実施の形態では、３個の器具本体を連結して構成される照明装置について説明する。図１は本発明の実施の形態に係わる照明装置の一方端部の器具本体の構造図、図２は本発明の実施の形態に係わる照明装置の中央部の器具本体の構造図、図３は本発明の実施の形態に係わる照明装置の他方端部の器具本体の構造図である。
【００１２】
図１（ａ）は３個の器具本体の一方端部の器具本体１１ａの正面図、図１（ｂ）は図１（ａ）のＸ１方向の矢視図である。一方端部の器具本体１１ａは取付ボルト１２で建家の天井梁に取り付けられ、図１の左側は端部になっており、通常のソケット部１３が取り付けられている。一方、図１の右側には図２に示す中央部の器具本体１１ｂが位置することになり、ソケット回動機構部１９により折り畳み可能なソケット部１４が取り付けられている。
【００１３】
図１（ａ）ではソケット部１４ａが器具本体１１ａから突出している状態を示し、図１（ｂ）ではソケット部１３とソケット部１４ａとの間にランプ１５が装着された場合を示している。また、図１（ｂ）に示すように、ランプ１５はＸ１方向（ランプ光の照射方向）から見た場合に斜めに配置され、ランプ光の照射方向には複数のバッフル１６が設けられている。ランプ１５をＸ１方向から見た場合に斜めに配置しているのは、後述するように、器具本体にランプを装着した状態では自己のランプの端部と隣り合う器具本体のランプの端部とが互い違いにラップする位置になるようにするためである。
【００１４】
図２（ａ）は３個の器具本体の一方端部の器具本体１１ｂの正面図、図２（ｂ）は図２（ａ）のＸ１方向の矢視図である。図１に示した一方端の器具本体１１ａと同様に、中央部の器具本体１１ｂも取付ボルト１２で建家の天井梁に取り付けられる。中央部の器具本体１１ｂの両端部には、ソケット回動機構部１９により折り畳み可能なソケット部１４ｂがそれぞれ取り付けられている。すなわち、一対のソケット部１４ｂ、１４ｂがそれぞれソケット回動機構１９を有している。図２（ａ）では両端部のソケット部１４ｂが器具本体１１ｂから突出している状態を示し、図２（ｂ）ではソケット部１４ｂ間にランプ１５を装着した場合を示している。また、図２（ｂ）に示すように、ランプの照射方向には複数のバッフル１６が設けられ、ランプ１５はＸ２方向（ランプ光の照射方向）から見た場合に斜めに配置されている。これにより、隣の図１の器具本体１１ａと連結した場合に、図１の器具本体１１ａのソケット部１４ａと図２の器具本体１１ｂのソケット部１４ｂとが互い違いの位置となり、ランプ１５の端部も互い違いにラップする位置となる。
【００１５】
図３（ａ）は３個の器具本体の他方端部の器具本体１１ｃの正面図、図３（ｂ）は図３（ａ）のＸ３方向の矢視図である。図１に示した一方端の器具本体１１ａと同様に、他方端部の器具本体１１ｃは取付ボルト１２で建家の天井梁に取り付けられる。図３の右側は端部になっており、通常のソケット部１３が取り付けられている。一方、図３の左側には図２に示す中央部の器具本体１１ｂが位置することになり、ソケット回動機構部１９により折り畳み可能なソケット部１４ｃが取り付けられている。図３（ａ）ではソケット部１４ｃが器具本体１１ａから突出している状態を示し、図３（ｂ）ではソケット部１３とソケット部１４ｃとの間にランプ１５が装着された場合を示している。また、図３（ｂ）に示すように、ランプの照射方向には複数のバッフル１６が設けられ、ランプ１５はＸ３方向（ランプ光の照射方向）から見た場合に斜めに配置されている。これにより、隣の図２の器具本体１１ｂと連結した場合に、図３の器具本体１１ｃのソケット部１４ｃと図２の器具本体１１ｂのソケット部１４ｂとが互い違いの位置となり、ランプ１５の端部も互い違いにラップする位置となる。
【００１６】
図４は図１（ｂ）のＹ方向からの矢視図であり、図５は図１（ａ）のＺ１部分の詳細図である。図４に示すように、器具本体は天井側壁１７に沿って天井面１８に埋め込まれて、天井梁に取付ボルト１２で取り付けられる。図１（ｂ）のＹ方向から見た場合、折り畳み可能なソケット部１４ａが手前の上部に位置し、器具本体内側に設けられた通常のソケット部１３は奥手の下部に位置することになる。これによりソケット１３とソケット１４ａとに装着されたランプは斜め方向に配置されることになる。
【００１７】
また、図５に示すように、ソケット部１４ａはソケット回動機構部１９で回動自在に器具本体１１ａに取り付けられており、器具本体１１ａにランプが未装着の状態では、ソケット部１４ａを器具本体１１ａの内側の位置に回動可能としている。図５では器具本体の内側に位置したソケット部を符合１４ａ’で示している。そして、器具本体１１ａにランプを装着する際には、ソケット部１４ａを回動させて器具本体１１ａから突出させる。
【００１８】
図６は器具本体１１ａ、１１ｂ、１１ｃの連結前の正面図であり、図６（ａ）は連結前の器具本体１１ａの正面図、図６（ｂ）は連結前の器具本体１１ｂの正面図、図６（ｃ）は連結前の器具本体１１ｃの正面図である。また、図７は器具本体１１ａ、１１ｂ、１１ｃの連結後の正面図である。
【００１９】
図６に示すように、器具本体１１ａ、１１ｂ、１１ｃの連結前においては、器具本体１１ａのソケット部１４ａを器具本体１１ａの内側に折り畳んだ状態とし、この状態で天井側壁１７と天井面１８に取り付ける。次に、器具本体１１ｂの両端部のソケット部１４ｂを器具本体１１ａの内側に折り畳んだ状態として器具本体１１ａに隣り合うように配置し、さらに、器具本体１１ｃのソケット部１４ｃを器具本体１１ｃの内側に折り畳んだ状態として器具本体１１ｃに隣り合うように配置する。このように、折り畳み可能なソケット部１４ａ、１４ｂ、１４ｃを器具本体１１ａ、１１ｂ、１１ｃの内側に折り畳んで取り付けできるので施工性が向上する。
【００２０】
図７に示すように、器具本体１１ａ、１１ｂ、１１ｃの連結直後においてはソケット部１４ａ、１４ｂ、１４ｃは折り畳まれた状態である。この状態からソケット部１４を開いて器具本体１１から突出させてランプ１５を装着する。
【００２１】
図８は図７のＺ２部分のランプ１５を装着した状態での詳細図、図９は図７の矢印Ｘ２方向から見たランプ１５を装着した状態での矢視図である。図８に示すように、ソケット回動機構部１９でソケット部１４ａを回動させて、ソケット部１４ａを器具本体１１から突出させて、ソケット１４ａにランプ１５を装着する。この場合、隣の器具本体１１ｂのソケット１４ｂもソケット回動機構部１９で回動させて器具本体１１から突出させて、図９に示すように、ソケット１４ｂにランプ１５を装着する。これにより、器具本体１１ａ、１１ｂにランプ１５を装着した状態では、器具本体１１ａのランプ１５の端部と、隣り合う器具本体１１ｂのランプの端部とが互い違いにラップする位置になるように配置される。
【００２２】
本発明の実施の形態によれば、ソケット部１４をソケット回動機構部１９により回動可能とし、器具本体１１にランプ１５が未装着の状態ではソケット部１４を器具本体１１の内側の位置に折り畳む状態とできるので、器具本体１１の施工時に隣り合う器具本体１１のソケット部１４が邪魔になることを防止できる。従って、器具本体１１の施工性が向上するだけでなく、施工時にソケット部１４を損傷させることもなくなる。
【図面の簡単な説明】
【００２３】
【図１】本発明の実施の形態に係わる照明装置の一方端部の器具本体の構造図。
【図２】本発明の実施の形態に係わる照明装置の中央部の器具本体の構造図。
【図３】本発明の実施の形態に係わる照明装置の他方端部の器具本体の構造図。
【図４】図１のＹ方向からの矢視図。
【図５】図１のＺ１部分の詳細図。
【図６】本発明の実施の形態に係わる照明装置の器具本体の連結前の正面図。
【図７】本発明の実施の形態に係わる照明装置の器具本体の連結後の正面図。
【図８】図７のＺ２部分のランプ１５を装着した状態での詳細図。
【図９】図９は図７の矢印Ｘ２方向から見たランプ１５を装着した状態での矢視図。
【符号の説明】
【００２４】
１１…器具本体、１２…取付ボルト、１３、１４…ソケット部、１５…ランプ、１６…バッフル、１７…天井側壁、１８…天井面、１９…ソケット回動機構部
【図１】
2010114048.tif 000003
【図２】
2010114048.tif 000004
【図３】
2010114048.tif 000005
【図４】
2010114048.tif 000006
【図５】
2010114048.tif 000007
【図６】
2010114048.tif 000008
【図７】
2010114048.tif 000009
【図８】
2010114048.tif 000010
【図９】
2010114048.tif 000011